(57)【特許請求の範囲】
【請求項１】
記録媒体カセットを外部から受け入れるための受入部と記録媒体カセットを外部へ取り出すための取出部と複数の収納部を有し該収納部に記録媒体カセットを収納する収納ラックと記録媒体カセットを所望の位置に搬送する搬送機構と記録媒体カセットが装着されて該記録媒体カセットに対する記録再生動作が為されるドライブ装置とを備え、収納ラックに収納された所望の記録媒体カセットを必要に応じて取り出して使用するカセットライブラリシステムであって、
所定の情報を記憶するメモリが搭載された記録媒体カセットの該メモリに対する情報の読み書きを非接触で行うと共に所定の回路パターンを有する複数のフレキシブルプリント基板が積層されて多層基板として形成されたトランスフォーマが設けられた
ことを特徴とするカセットライブラリシステム。
【請求項２】
収納ラックに各収納部に対応してトランスフォーマが設けられた
ことを特徴とする請求項１に記載のカセットライブラリシステム。
【請求項３】
搬送機構にトランスフォーマが設けられた
ことを特徴とする請求項１に記載のカセットライブラリシステム。
【請求項４】
搬送機構には所定の各部との間で記録媒体カセットの受け渡しを行うためのカセット受渡機構が設けられ、
該カセット受渡機構にトランスフォーマが設けられた
ことを特徴とする請求項１に記載のカセットライブラリシステム。
【請求項５】
搬送機構には収納ラックに対して離接する方向に移動可能なトランスフォーマ配置部材が設けられ、
該トランスフォーマ配置部材に収納ラックに収納される記録媒体カセットの並設される方向に該記録媒体カセットに対応して位置する複数のトランスフォーマが設けられた
ことを特徴とする請求項１に記載のカセットライブラリシステム。
【請求項６】
受入部の入口に該入口を開閉するための扉体が設けられ、
該扉体にトランスフォーマが設けられた
ことを特徴とする請求項１に記載のカセットライブラリシステム。
【請求項７】
筐体と該筐体内に配置されたドライブ装置と筐体に対して挿脱可能とされ複数の記録媒体カセットを各別に収容する収容部を有すると共に記録媒体カセットが隣接する収容部に順次移動可能なマガジンと記録媒体カセットをドライブ装置と筐体内にセットされたマガジンとの間で移送する移送機構とを備えたオートローダーが設けられ、
該オートローダーのドライブ装置の内部にトランスフォーマが設けられた
ことを特徴とする請求項１に記載のカセットライブラリシステム。
【請求項８】
メモリに対する情報の読み書きの動作可能範囲を２０ｍｍ以下とした
ことを特徴とする請求項１に記載のカセットライブラリシステム。
【請求項９】
メモリに対する情報の読み書きの動作可能範囲を２０ｍｍ以下とした
ことを特徴とする請求項２に記載のカセットライブラリシステム。
【請求項１０】
メモリに対する情報の読み書きの動作可能範囲を２０ｍｍ以下とした
ことを特徴とする請求項３に記載のカセットライブラリシステム。
【請求項１１】
メモリに対する情報の読み書きの動作可能範囲を２０ｍｍ以下とした
ことを特徴とする請求項４に記載のカセットライブラリシステム。
【請求項１２】
メモリに対する情報の読み書きの動作可能範囲を２０ｍｍ以下とした
ことを特徴とする請求項５に記載のカセットライブラリシステム。
【請求項１３】
メモリに対する情報の読み書きの動作可能範囲を２０ｍｍ以下とした
ことを特徴とする請求項６に記載のカセットライブラリシステム。
【請求項１４】
メモリに対する情報の読み書きの動作可能範囲を２０ｍｍ以下とした
ことを特徴とする請求項７に記載のカセットライブラリシステム。
【発明の詳細な説明】
【０００１】
【発明の属する技術分野】
本発明はカセットライブラリシステムに関する。詳しくは、感度を低減させることなくトランスフォーマの薄型化を図ると共に部品点数の削減を図る技術に関する。
【０００２】
【従来の技術】
記録媒体カセットには、当該記録媒体カセットに関する情報、例えば、製造年月日、製造場所や記録媒体に記録された記録情報のタイトル、ファイル名等、或いは記録媒体の仕様、使用状況、記録位置又は記録した情報信号の内容等の種々の情報を内蔵したメモリに記憶するようにしたものがある。
【０００３】
このようなメモリを内蔵した記録媒体カセットは、例えば、多数の記録媒体カセットを収納ラックに収納しておき、必要に応じて所要の記録媒体カセットをカセット受渡機構によって収納ラックから取り出して使用するカセットライブラリシステムに用いられる。
【０００４】
記録媒体カセットに内蔵されたメモリに対する情報の読み書きは、例えば、記録媒体カセットに設けられメモリに接続された外部端子と情報の読書を行う読書機構のコネクタとを接触させて行う接触式の他、例えば、読書機構に設けられたトランスフォーマによって行う非接触式とがある。
【０００５】
図１７及び図１８に、このような読書機構に設けられる従来のトランスフォーマを示す。尚、この読書機構はメモリに対する情報の読み書きを、接触式及び非接触式の双方で行うことが可能とされるものである。
【０００６】
トランスフォーマａは矩形状の通信部ｂと該通信部ｂの下方に位置する連結部ｃとが結合されて成る。通信部ｂは複数の基板ｄ、ｄ、・・・が結合された多層基板として形成され、基材が、例えば、エポキシ樹脂材料から成る。
【０００７】
連結部ｃはフレキシブルプリント基板により形成され、その一端が通信部ｂの一の基板ｄの下端に結合されている。
【０００８】
トランスフォーマａには通信部ｂと連結部ｃとに亘って所定の回路パターンｅが形成され、該回路パターンｅのうち一部がトランスフォーマ回路ｆとして形成されている。トランスフォーマ回路ｆは通信部ｂにコイル状に形成されたコイル部ｇと該コイル部ｇの両端に接続された第１の接続部ｈ、ｈとから成る。そして、トランスフォーマ回路ｆは基板ｄ、ｄ、・・・にそれぞれコイル状に形成された回路の各端部が、例えば、スルーホールｉ、ｉ、・・・によって導通されることにより形成されている。
【０００９】
回路パターンｅのうちトランスフォーマ回路ｆとして形成されていない部分ｊ、ｊ、・・・は第２の接続部として形成され、該第２の接続部ｊ、ｊ、・・・はそれぞれ一端が通信部ｂの下端部に形成されたランドｋ、ｋ、・・・に接続されている。
【００１０】
トランスフォーマ回路ｆの両端と第２の接続部ｊ、ｊ、・・・の他端は連結部ｃのうち通信部ｂと結合されていない側に形成された図示しないコネクタ部に位置され、該コネクタ部が、例えば、ドライブ装置の回路基板ｌの下面に設けられた装置側コネクタｍと結合されている（図１８参照）。
【００１１】
通信部ｂは縦断面形状でＬ字状を為すホルダｎの背面に取り付けられている。ホルダｎは垂直部ｏと該垂直部ｏの下縁から突出された水平部ｐとが一体に形成されて成り、該水平部ｐの先端部を回動支点として図示しない支持部材に回動自在に支持されている。
【００１２】
ホルダｎの通信部ｂが取り付けられた側と反対側の面にはコネクタｑが取り付けられている。そして、コネクタｑの端子ｒ、ｒ、・・・（図１８に一つのもののみ示す。）は、それぞれトランスフォーマａのランドｋ、ｋ、・・・及び第２の接続部ｊ、ｊ、・・・を介して装置側コネクタｍに接続されている。
【００１３】
しかして、テープカセットｓが、例えば、ドライブ装置の装着部に装着されると、装着部への装着時にテープカセットｓと干渉しない位置（図１８に２点鎖線で示す位置）にあったホルダｎが回動され、テープカセットｓに内蔵されたメモリｔに接続された外部端子とコネクタｑの端子ｒ、ｒ、・・・とが接続される。
【００１４】
このように外部端子とコネクタｑの端子ｒ、ｒ、・・・とが接続されることにより、コネクタｑを介してメモリｔに対する情報の読み書きが可能な状態となる。また、ホルダｎがテープカセットｓに近づく方向に回動されて、メモリｔに接続された外部端子とコネクタｑの端子ｒ、ｒ、・・・とが接続された状態においては、トランスフォーマａの通信部ｂとメモリｔとが所定の距離に保持されており、通信部ｂを介して非接触でメモリｔに対する情報の読み書きが可能な状態となる。
【００１５】
【発明が解決しようとする課題】
ところで、上記した従来のトランスフォーマａにあっては、通信部ｂが取り付けられたホルダｎが回動するときに、当該回動動作が円滑に行われるようにするために連結部ｃがフレキシブルプリント基板によって形成されている。
【００１６】
ところが、通信部ｂはトランスフォーマ回路ｆのコイル部ｇの巻回数を増加させて感度の向上を図るために、基材が、例えば、エポキシ樹脂性の材料から成る基板ｄ、ｄ、・・・を積層することにより多層基板として形成されている。
【００１７】
従って、その分、通信部ｂの厚みが大きくなり、該通信部ｂを配置するためのスペースが大きくなってしまうという問題がある。
【００１８】
また、トランスフォーマａは通信部ｂと連結部ｃとが各別の材料で別部材として形成されているため、部品点数が多く製造工程も多くなってしまうという問題もある。
【００１９】
そこで、本発明は、感度を低減させることなくトランスフォーマの薄型化を図ると共に部品点数の削減を図ることを課題とする。
【００２１】
【課題を解決するための手段】
本発明カセットライブラリシステムは、上記した課題を解決するために、所定の情報を記憶するメモリが搭載された記録媒体カセットの該メモリに対する情報の読み書きを非接触で行うと共に所定の回路パターンを有する複数のフレキシブルプリント基板が積層されて多層基板として形成されたトランスフォーマを設けたものである。
【００２２】
従って、本発明カセットライブラリシステムにあっては、トランスフォーマの薄型化及び部品点数の削減が図られる。
【００２３】
【発明の実施の形態】
以下に、本発明の実施の形態について添付図面を参照して説明する。
【００２４】
先ず、カセットライブラリシステムの概要について説明する。
【００２５】
図１に示したカセットライブラリシステム１は、テープ幅８ｍｍの磁気テープを記録媒体とするテープカセット２（図２参照）を使用し、多数のテープカセット２、２、・・・を複数の収納ラック３、３、・・・に収納し、テープカセット２を上下、左右及び前後に搬送できるようにされた搬送機構４によって収納ラック３、３、・・・から所望のテープカセット２を取り出して、これをテープドライブ部５に設けられた複数のテープストリーマードライブ６、６、・・・の一に装着し、そこで当該テープカセット２に対するデータの記録又は再生を行うようにしたものである。
【００２６】
図２に示すように、テープカセット２はケース体２ａ内に磁気テープ２ｂが一対のテープリールに巻回されて成り、ケース体２ａの前面側に前面リッド２ｃが回動自在に支持されている。そして、ケース体２ａ内の所定の位置にはメモリ２ｄが内蔵されており、ケース体２ａの背面に該メモリ２ｄと接続された外部端子２ｅ、２ｅ、・・・が配置されている。また、ケース体２ａの両側面の後部にはそれぞれ凹部２ｆ、２ｆが形成されている。
【００２７】
メモリ２ｄには、当該テープカセット２に関する情報、例えば、製造年月日、製造場所や磁気テープ２ｂに記録された記録情報のタイトル、ファイル名等、或いは記録媒体の仕様、使用状況、記録位置又は記録した情報信号の内容等の種々の情報が記録される。
【００２８】
カセットライブラリシステム１には上記した各部の他、インポート７、アウトポート８が設けられ、インポート７において、その前面の入口７ａから挿入されたテープカセット２が後方の出口７ｂへ送られ、該出口７ｂにおいて上記搬送機構４のカセット受渡機構９によって取り出されて収納ラック３、３、・・・のうちの一の所定の位置に収納される。
【００２９】
アウトポート８は受入部１０と取出部１１とこれら両者の間を連結しているシュート１２とを備え、不要となったテープカセット２がカセット受渡機構９によって収納ラック３から取り出され受入部１０に引き渡される。受入部１０に引き渡されたテープカセット２はシュート１２を経て取出部１１に達し、ここで外部に取り出される。
【００３０】
図３に示すように、カセット受渡機構９はテープカセット２を把持する左右一対のハンドアーム１３、１３と該ハンドアーム１３、１３を開閉するための開閉駆動機構１４とハンドアーム１３、１３及び開閉駆動機構１４が配置されたスライダ１５と該スライダ１５をテープカセット２、２、・・・が収納される収納ラック３に対して離接する方向（Ｙ軸方向）に移動させるためのスライダ駆動機構１６とを備えている。そして、カセット受渡機構９はベースプレート１７に配置されている。
【００３１】
ハンドアーム１３、１３にはその先端部にテープカセット２の凹部２ｆ、２ｆに入り込むグリップ１３ａ、１３ａが設けられている。
【００３２】
開閉駆動機構１４は第１のモータ１４ａと該第１のモータ１４ａによりギヤを介して回転される回転軸１４ｂと該回転軸１４ｂの軸方向に移動自在に支持されたナット体１４ｃ、１４ｃとを備え、該ナット体１４ｃ、１４ｃはスライダ１５上で移動可能とされている。そして、ナット体１４ｃ、１４ｃは第１のモータ１４ａの回転方向に応じて互いに離接する方向に移動され、ナット体１４ｃ、１４ｃの移動方向に応じてハンドアーム１３、１３が開閉されるようになっている。
【００３３】
テープカセット２はハンドアーム１３、１３が互いに近づく方向に移動されそのグリップ１３ａ、１３ａが凹部２ｆ、２ｆに入り込むことにより把持され、また、ハンドアーム１３、１３が互いに離間する方向に移動されることによりテープカセット２に対する把持状態が解除される。
【００３４】
スライダ駆動機構１６はスライダ１５をＹ軸方向に移動自在に支持するレール部材１６ａと該レール部材１６ａに平行に配置されたラック１６ｂと第２のモータ１６ｃとを備え、第２のモータ１６ｃのモータ軸に固定されたピニオン１６ｄがラック１６ｂと噛合されている。そして、第２のモータ１６ｃが回転されることによりその回転方向に応じてスライダ１５が収納ラック３に離接する方向（Ｙ軸方向）に移動され、スライダ１５の移動に伴ってハンドアーム１３、１３が同じ方向に移動されるようになっている。
【００３５】
上記のようにハンドアーム１３、１３によってテープカセット２が把持された状態でスライダ１５が図３に示すＹ軸方向に移動されハンドアーム１３、１３が開閉されることにより、テープカセット２が収納ラック３の収納部３ａ、３ａ、・・・やテープストリーマドライブ６、６、・・・の後述する挿脱口等に対して挿脱される。
【００３６】
搬送機構４は上記カセット受渡機構９の他、図３に示すＺ軸方向に延びる第１の軸部材１８とＸ軸方向に延びる第２の軸部材１９とを備え、第１の軸部材１８の一端部にＸ軸テーブル２０が固定され、該Ｘ軸テーブル２０が第２の軸部材１９にＸ軸方向に移動自在に支持されている。そして、ベースプレート１７の一端部が第１の軸部材１８にＺ軸方向に移動自在に支持されたＺ軸テーブル２１に固定されている。
【００３７】
Ｘ軸テーブル２０及びＺ軸テーブル２１は図示しない移動機構によって移動されるようになっており、Ｘ軸テーブル２０の移動により搬送機構４がＸ軸方向に移動され、Ｚ軸テーブル２１の移動により搬送機構４がＺ軸方向に移動される。
【００３８】
テープドライブ部５のテープストリーマードライブ６、６、・・・は、それぞれ外筐２２内に所要の各部材及び各機構が配置されて成る（図４乃至図６参照）。
【００３９】
外筐２２の一の面にはテープカセット２を挿脱するための挿脱口２２ａが形成されている。そして、外筐２２内には各種のガイド部材２３、２３、・・・が設けられている。また、外筐２２内には回路基板２４が配置され、該回路基板２４上に回転ドラム２５及びリールモータ２６、２６を介してリール係合軸２７、２７が配置されている。
【００４０】
外筐２２内の挿脱口２２ａ側の一側部には読書機構２８が配置されており、該読書機構２８はテープカセット２のメモリ２ｄに対する情報の読み書きを行う役割を果たすものである。
【００４１】
読書機構２８は図示しない支持部材に回動自在に支持されたホルダ２９と該ホルダ２９に取り付けられたトランスフォーマ３０と同じくホルダ２９に取り付けられたコネクタ３１とから成る（図４乃至図９参照）。
【００４２】
ホルダ２９は縦断面形状でＬ字状を為し、垂直部２９ａと該垂直部２９ａの下縁から突出された水平部２９ｂとが一体に形成されて成り、該水平部２９ｂの先端部を回動支点として支持部材に回動自在に支持されている。
【００４３】
トランスフォーマ３０はともにフレキシブルプリント基板によって形成された第１の基板３２と第２の基板３３とが結合されて成る。そして、第１の基板３２のうちの上方に位置する矩形状の第１の部分３２ａに該第１の部分３２ａと略同一形状を為す第２の基板３３が結合されることにより通信部３４が形成され、第１の基板３２のうち第１の部分３２ａ以外の部分である第２の部分３２ｂが一方向に長い連結部３５として形成される。
【００４４】
トランスフォーマ３０には通信部３４と連結部３５とに亘って所定の回路パターン３６が形成され、該回路パターン３６のうち一部がトランスフォーマ回路３７として形成されている。
【００４５】
トランスフォーマ回路３７は第１の基板３２の第１の部分３２ａにコイル状に形成されたコイル部３７ａと第２の基板３３にコイル状に形成されたコイル部３７ｂとコイル部３７ａ、３７ｂの各一端に接続された第１の接続部３７ｃ、３７ｃとから成り、該第１の接続部３７ｃ、３７ｃは第１の基板３２の第２の部分３２ｂから第１の部分３２ａの下端部に亘って形成されている。そして、第１の接続部３７ｃ、３７ｃのうちコイル部３７ａ、３７ｂに接続されていない側の端部は、第２の部分３２ｂの一端部に形成されたコネクタ部３２ｃに位置されている。また、コイル部３７ａとコイル部３７ｂの各他端は第１の基板３２及び第２の基板３３にそれぞれ形成されたスルーホール３８、３８、・・・を介して導通されている。
【００４６】
回路パターン３６のうちトランスフォーマ回路３７として形成されていない部分３９、３９、・・・は第２の接続部として形成され、該第２の接続部３９、３９、・・・はそれぞれ一端が通信部３４の下端部に形成されたランド４０、４０、・・・に接続されている。そして、第２の接続部３９、３９、・・・はその他端が第１の接続部３７ｃ、３７ｃと同様にコネクタ部３２ｃに位置されている。
【００４７】
トランスフォーマ３０のコネクタ部３２ｃは、テープストリーマドライブ６の回路基板２４の下面に設けられた装置側コネクタ２４ａと結合されている（図５及び図６参照）。そして、トランスフォーマ３０は通信部３４がホルダ２９の垂直部２９ａの背面に取り付けられている。
【００４８】
ホルダ２９の通信部３４が取り付けられた側と反対側の面にはコネクタ３１が取り付けられている。そして、コネクタ３１の端子３１ａ、３１ａ、・・・は、それぞれトランスフォーマ３０のランド４０、４０、・・・及び第２の接続部３９、３９、・・・を介して装置側コネクタ２４ａに接続されている。また、トランスフォーマ３０が装置側コネクタ２４ａと接続された状態においては、トランスフォーマ３０の連結部３５が回路基板２４の一の側面を回り込むようにして位置される（図５及び図６参照）。
【００４９】
しかして、テープカセット２、２、・・・は、搬送機構４によってインポート７の出口７ｂ、アウトポート７の受入部１０、収納ラック３、３、・・・の収納部３ａ、３ａ、・・・、テープストリーマドライブ６、６、・・・の各間を搬送される。
【００５０】
一のテープカセット２が、一のテープストリーマドライブ６の挿脱口２２ａから受渡機構９によって所定の位置まで挿入されると（図５参照）、ハンドアーム１３、１３が互いに離間する方向に移動されテープカセット２に対する把持状態が解除され、テープカセット２はその後自動的に外筐２２内に引き込まれてテープリールがリール係合軸２７、２７と係合される（図６参照）。
【００５１】
テープカセット２のテープリールがリール係合軸２７、２７と係合されると、前面リッド２ｃが回動されてケース体２ａから図示しないテープ引出機構によって磁気テープ２ｂの一部が引き出され、該磁気テープ２ｂがガイド部材２３、２３、・・・及び回転ドラム２５に巻回されて所定のテープパスが形成され、磁気テープ２ｂに対する情報信号の記録又は再生が可能な状態になる。同時に、挿脱口２２ａから挿入されるときにテープカセット２と干渉しない位置（図５参照）にあったホルダ２９が図示しない回動機構によってテープカセット２に接する方向に回動され、テープカセット２に内蔵されたメモリ２ｄに接続された各外部端子２ｅ、２ｅ、・・・とコネクタ３１の各端子３１ａ、３１ａ、・・・とが接続される。
【００５２】
このように外部端子２ｅ、２ｅ、・・・とコネクタ３１の端子３１ａ、３１ａ、・・・とが接続されることにより、コネクタ３１を介してメモリ２ｄに対する情報の読み書きが可能な状態となる。また、ホルダ２９がテープカセット２に近づく方向に回動されて、メモリ２ｄに接続された外部端子２ｅ、２ｅ、・・・とコネクタ３１の端子３１ａ、３１ａ、・・・とが接続された状態においては、トランスフォーマ３０の通信部３４とメモリ２ｄとが所定の距離に保持されており、通信部３４を介して非接触でメモリ２ｄに対する情報の読み書きが可能な状態となる。
【００５３】
従って、メモリ２ｄに対して接触式又は非接触式の何れの方法によっても、当該テープカセット２に関する情報、例えば、製造年月日、製造場所や磁気テープ２ｂに記録された記録情報のタイトル、ファイル名等、或いは記録媒体の仕様、使用状況、記録位置又は記録した情報信号の内容等の種々の情報の読み書きを行うことができる。
【００５４】
尚、上記のようにホルダ２９が回動されるときには、この回動動作に伴ってホルダ２９に取り付けられたトランスフォーマ３０の連結部３５が変形することになるが、トランスフォーマ３０が屈曲性に富むフレキシブルプリント基板によって形成されているので、ホルダ２９の回動動作が円滑に為される。
【００５５】
磁気テープ２ｂに対する情報信号の記録又は再生が終了すると、引き出されていた磁気テープ２ｂがケース体２ａ内に収納されると共にホルダ２９がテープカセット２から離間する方向に回動され、テープカセット２の一部が図示しないイジェクト機構によって挿脱口２２ａから排出される。そして、テープカセット２は受渡機構９のハンドアーム１３、１３に把持され、搬送機構４によって所定の箇所、例えば、収納ラック３の一の収納部３ａまで搬送されて収納される。
【００５６】
以上に記載した通り、上記したトランスフォーマ３０にあっては、２つのフレキシブルプリント基板を積層して形成している。従って、コイル部３７ａ、３７ｂの巻回数を増加させることができ感度の低下を来たすことがないと共に厚みを非常に薄くすることができトランスフォーマ３０の配置スペースの狭小化を図ることができる。
【００５７】
また、トランスフォーマ３０は２つのフレキシブルプリント基板によって形成されているため、部品点数の削減を図ることができる。
【００５８】
ところで、現在、非接触式の通信（読み書き）方法として、例えば、定期券やＶＨＳ（Video  Home  System）ラベル等に利用されているが、これらはアンテナサイズが大きく通信距離、即ち、メモリとトランスフォーマとの距離がその分大きく約５０ｍｍまで許容される。
【００５９】
一方、上記したテープカセット２にあっては、アンテナサイズが小さいため、一般に、通信距離が約２０ｍｍ以下と小さい。
【００６０】
ところが、上記したトランスフォーマ３０はフレキシブルプリント基板のみによって形成されているため、通信部３４の薄型化が図られ、通信距離（図６に示す距離Ｌ）を２０ｍｍ以下とすることが可能とされている。
【００６１】
従って、アンテナサイズの小さなテープカセット２のメモリ２ｄに十分対応することが可能であり、メモリ２ｄに対する情報の読み書きを適正に行うことが可能である。
【００６２】
上記には、トランスフォーマ３０を２つのフレキシブルプリント基板、即ち、第１の基板３２と第２の基板３３とを結合させて形成したものを示したが、これに限らずトランスフォーマの配置スペースが必要以上に大きくならず適正な通信距離が保持できる範囲であれば、結合する基板の数を増加させてもよい。
【００６３】
図１１に、結合させる基板の数を増加させて形成したトランスフォーマ３０Ａを示す。トランスフォーマ３０Ａは４つのフレキシブルプリント基板４１、４２、４３、４４を結合させて形成したものである。結合させる基板を増加することにより、トランスフォーマ回路のコイル部の巻回数をより多くすることができ、これにより一層の感度の向上を図ることができる。
【００６４】
図１２乃至図１６に読書機構をテープドライブ部５のテープストリーマドライブ６、６、・・・以外の位置に配置したものを示す。
【００６５】
図１２は読書機構を収納ラック３に設けたものである。
【００６６】
収納ラック３Ａにはその側縁に収納部３ａ、３ａ、・・・毎に支持部３ｂ、３ｂ、・・・が形成され、該支持部３ｂ、３ｂ、・・・にはそれぞれホルダ２９Ａ、２９Ａ、・・・が回動自在に支持されている。ホルダ２９Ａ、２９Ａ、・・・はそれぞれ垂直部２９ｃと該垂直部２９ｃの下縁からこれと直交する方向に突出された水平部２９ｄと該水平部２９ｄの先端部にこれと直交する方向に延びるように設けられた被作用部２９ｅとが一体に形成されて成り、水平部２９ｄの先端部を回動支点として支持部３ｂに回動自在に支持されている。
【００６７】
ホルダ２９Ａの背面にはトランスフォーマ３０の通信部３４が取り付けられている。そして、ホルダ２９Ａの通信部３４が取り付けられた側と反対側の面にはコネクタ３１が取り付けられている。
【００６８】
搬送機構４のベースプレート１７には図示しないホルダ回動機構が設けられており、テープカセット２がカセット受渡機構９によって収納ラック３の収納部３ａに対して挿脱されるときに、ホルダ２９Ａはその被作用部２９ｅがホルダ回動機構によって押圧されて一方向に回動され、テープカセット２の収納部３ａに対する挿脱の妨げとならないようにされており（図１２の収納部３ａの最上段のホルダ２９Ａの状態）、また、テープカセット２が収納部３ａに収納された状態においては、反対方向に回動されてコネクタ３１の端子３１ａ、３１ａ、・・・がテープカセット２の外部端子２ｅ、２ｅ、・・・と接続されるようになっている。
【００６９】
上記のように収納部３ａ、３ａ、・・・毎にそれぞれトランスフォーマ３０、３０、・・・及びコネクタ３１、３１、・・・を設けておけば、カセット受渡機構９によって収納ラック３からテープカセット２、２、・・・を取り出してテープストリーマドライブ６、６、・・・に挿入しなくてもメモリ２ｄ、２ｄ、・・・に対する情報の読書が可能となり、動作時間の効率化及び使い勝手の向上を図ることができる。
【００７０】
尚、読書機構をカセット受渡機構９の所要の位置に設けるようにしてもよい。即ち、カセット受渡機構９のハンドアーム１３、１３で所望のテープカセット２を把持して受渡動作を行うときに、当該テープカセット２の外部端子２ｅ、２ｅ、・・・にコネクタ３１、３１、・・・の端子３１ａ、３１ａ、・・・が接続され、メモリ２ｄに対する読み書きが行われるようにしてもよい。
【００７１】
このように、カセット受渡機構９に読書機構を設ければ、トランスフォーマ３０及びコネクタ３１が一つのみでよく部品点数の削減が図られると共に収納ラック３からテープカセット２、２、・・・を取り出してテープストリーマドライブ６、６、・・・に挿入しなくてもメモリ２ｄ、２ｄ、・・・に対する情報の読書が可能となり、動作時間の効率化及び使い勝手の向上を図ることができる。
【００７２】
図１３は読書機構をインポート７の扉体に設けたものである。
【００７３】
インポート７にはテープカセット２、２、・・・を縦向きにして横方向に５巻並べた状態で収納することのできる図示しないカセット受渡ケースが設けられており、テープカセット２、２、・・・はカセット受渡ケースがインポート７内で移動することによりインポートの入口７ａから出口７ｂまで送られ、該出口７ｂにおいて上記搬送機構４のカセット受渡機構９によって取り出されるようになっている。そして、テープカセット２、２、・・・はインポート７の入口７ａにおいてカセット受渡ケースに挿入され、該入口７ａは扉体４５によって開閉される。
【００７４】
扉体４５はインポート７の入口において軸４５ａ、４５ａを介して開閉自在に支持されており、内面にはカセット受渡ケースに挿入される５つのテープカセット２、２、・・・に対応する位置にコネクタ３１Ａ、３１Ａ、・・・が取り付けられている。そして、コネクタ３１Ａ、３１Ａ、・・・の背面には、図示はしないがそれぞれトランスフォーマ３０、３０、・・・が配置されている。
【００７５】
扉体４５が閉塞されると、カセット受渡ケースに挿入された各テープカセット２、２、・・・の外部端子２ｅ、２ｅ、・・・にコネクタ３１Ａ、３１Ａ、・・・の端子３１ｂ、３１ｂ、・・・が接触するようになっている。
【００７６】
このように、扉体４５にトランスフォーマ３０、３０、・・・及びコネクタ３１、３１、・・・を設ければ、テープカセット２、２、・・・をインポート７の入口７ａから挿入しようとするときにメモリ２ｄ、２ｄ、・・・に対する情報の読書が可能となり、カセットライブラリシステム１に挿入する前の段階で挿入する必要のあるテープカセット２、２、・・・と必要のないテープカセット２、２、・・・とを選別することが可能であり、動作時間の効率化及び使い勝手の向上を図ることができる。
【００７７】
尚、扉体４５にはコネクタ３１、３１、・・・と共にトランスフォーマ３０、３０、・・・が配置されているが、例えば、コネクタ３１、３１、・・・を設けずにトランスフォーマ３０、３０、・・・だけを配置するようにしてもよい。
【００７８】
図１４は読書機構を搬送機構４Ａに設けたものである。
【００７９】
本図においては、テープカセット２Ａ、２Ａ、・・・が収納ラック３Ａに横方向に並ぶようにし搬送機構４Ａも横方向に移動するものを示しているが、テープカセット２Ａ、２Ａ、・・・を縦方向に並ぶようにし搬送機構４Ａも縦方向に移動するようにしてもよい。
【００８０】
テープカセット２Ａ、２Ａ、・・・の後面にはそれぞれバーコードカード２ｇ、２ｇ、・・・が貼付されている。
【００８１】
搬送機構４Ａは移動台４６を介してレール４７に移動自在に支持され、図示しないカセット受渡機構を有している。搬送機構４Ａには取付板４８を介してバーコードリーダー４９が取り付けられ、該バーコードリーダー４９はその上方に位置された回路基板５０に接続されている。
【００８２】
取付板４８の一部にはトランスフォーマ３０が接続され、該トランスフォーマ３０は搬送機構４Ａが移動されたときに収納ラック３Ｂに収納されたテープカセット２Ａ、２Ａ、・・・に対向可能なように配置されている。
【００８３】
しかして、搬送機構４Ａが移動され所望のテープカセット２Ａに対応して位置されると、当該テープカセット２Ａの外部端子２ｅ、２ｅ、・・・にトランスフォーマ３０が対向して位置されると共にバーコードカード２ｇにバーコードリーダー４９が対向して位置され、トランスフォーマ３０によって当該テープカセット２Ａのメモリ２ｄに対する情報の読書が可能とされると共にバーコードリーダー４９によってバーコードカード２ｇに記録された情報の読取が可能とされる。
【００８４】
上記のように、バーコードリーダー４９によってバーコードカード２ｇに記録された情報の読取が可能であるが、通常、バーコードカード２ｇに記録される情報量は少なく、また、バーコードカード２ｇを一旦形成した後にはバーコードカード２ｇには情報の書き込みができない。
【００８５】
上記したように、バーコードリーダー４９によるバーコードカード２ｇに記録された情報のの読取以外にトランスフォーマ３０によるテープカセット２Ａのメモリ２ｄに対する情報の読書が可能なようにすれば、記録可能な情報量を増加させることができると共に情報の書き込みを行うことができる。
【００８６】
また、カセット受渡機構によって収納ラック３Ｂからテープカセット２Ａ、２Ａ、・・・を取り出してテープストリーマドライブ６、６、・・・に挿入しなくてもメモリ２ｄ、２ｄ、・・・に対する情報の読書が可能となり、動作時間の効率化及び使い勝手の向上を図ることができる。
【００８７】
図１５は読書機構を搬送機構に設けると共に複数のテープカセットに対して同時に情報の読書ができるようにしたものである。
【００８８】
搬送機構４Ｂにはカセット受渡機構９が設けられ、ベースプレート１７にはスタンパ５１が図示しない収納ラックに横方向に並ぶように収納されるテープカセットに離接する方向に移動自在に支持されている。スタンパ５１はコネクタ配置部５１ａと該コネクタ配置部５１ａの左右両側縁から突出された被支持部５１ｂ、５１ｂとから成り、該被支持部５１ｂ、５１ｂがベースプレート１７に移動自在に支持されている。
【００８９】
コネクタ配置部５１ａの前面の左右両端部からは位置決めピン５２、５２が突出されている。そして、コネクタ配置部５１ａには上下に離間してカセット検出センサー５３、５３、・・・とコネクタ３１Ｂ、３１Ｂ、・・・とが同数対応する位置に設けられている。また、コネクタ３１Ｂ、３１Ｂ、・・・の背面には、それぞれ図示はしないがトランスフォーマ３０、３０、・・・が配置されている。
【００９０】
しかして、スタンパ５１が収納ラックに近づく方向に移動されると、位置決めピン５２、５２が収納ラックに形成された位置決め穴に挿入され、これによりコネクタ３１Ｂ、３１Ｂ、・・・と収納ラックに収納されたテープカセット２、２、・・・の外部端子２ｅ、２ｅ、・・・との位置決めが為され、コネクタ３１Ｂ、３１Ｂ、・・・が外部端子２ｅ、２ｅ、・・・に接続される。このとき、同時にカセット検出センサー５３、５３、・・・によるテープカセット２、２、・・・の有無が検出される。
【００９１】
このように、搬送機構４にスタンパ５１を設け、該スタンパ５１にトランスフォーマ３０、３０、・・・及びコネクタ３１Ｂ、３１Ｂ、・・・を設ければ、情報の読書が複数のテープカセット２、２、・・・について同時に行うことができ、動作時間の短縮化を図ることができる。
【００９２】
また、カセット受渡機構９によって収納ラックからテープカセット２、２、・・・を取り出してテープストリーマドライブ６、６、・・・に挿入しなくてもメモリ２ｄ、２ｄ、・・・に対する情報の読書が可能となり、動作時間の効率化及び使い勝手の向上を図ることができる。
【００９３】
尚、スタンパ５１にはコネクタ３１、３１、・・・と共にトランスフォーマ３０、３０、・・・が配置されているが、例えば、コネクタ３１、３１、・・・を設けずにトランスフォーマ３０、３０、・・・だけを配置するようにしてもよい。
【００９４】
図１６は読書機構をオートローダーに設けたものである。
【００９５】
オートローダー５４は筐体５５内にドライブ５６と移送機構５７とを備え、テープカセット２、２、・・・が収容されたマガジン５８を筐体５５内に挿入し、マガジン５８とドライブ５６との間で移送機構５７によりテープカセット２、２、・・・を連続的に交換できるようにしたものである。
【００９６】
筐体５５にはマガジン５８を挿脱するための挿脱孔５５ａが形成され、内部にはドライブ５６が配置されている。このドライブ５６は上記したテープストリーマドライブ６と同様のものであり、内部にトランスフォーマ３０及びコネクタ３１を有する読書機構２８が備えられている。
【００９７】
筐体５５の内部には移送機構５７の移動ケース５７ａが上下方向に移動自在に支持されており、該移動ケース５７ａはドライブ５６側が開口されている。
【００９８】
マガジン５８は内部にその中央部を除いてテープカセット２、２、・・・を各別に収容するための収容部５８ａ、５８ａ、・・・が形成され、テープカセット２、２、・・・は収容部５８ａ、５８ａ間を、例えば、図１６に示す矢印Ｒ方向にローテーションすることが可能となっている。そして、例えば、テープカセット２、２、・・・はマガジン５８に対して図１６で見て右上の収容部５８ａに対応して形成された挿入口５８ｂから挿入され、該挿入口５８ｂの下側に形成された排出口５８ｃから排出されるようになっている。
【００９９】
しかして、移動ケース５７ａが移動して排出口５８ｃに対応して位置されると、該排出口５８ｃから一のテープカセット２が排出されて移動ケース５７ａに挿入され、移動ケース５７ａが下方に移動されてドライブ５６の挿脱口に対応して位置され、当該テープカセット２がドライブ５６内に挿入される。そして、挿入されたテープカセット２のメモリ２ｄに対する読書機構２８による情報信号の読書が可能な状態とされる。
【０１００】
挿入されていたテープカセット２がドライブ５６内から排出され再度テープカセット２が移動ケース５７ａに挿入されると、移動ケース５７ａが上方に移動されてマガジン５８の挿入口５８ｂに対応して位置される。そして、移動ケース５７ａ内に位置していたテープカセット２が挿入口５８ｂから収容部５８ａに挿入され、各テープカセット２、２、・・・が玉突方式で自動的に隣接する収容部５８ａ、５８ａ、・・・に矢印Ｒ方向にローテーションされるように移動される。
【０１０１】
そして、再度、移動ケース５７ａが移動して排出口５８ｃに対応して位置され、該排出口５８ｃから一のテープカセット２が排出されて移動ケース５７ａに挿入され当該テープカセット２がドライブ５６内に挿入されるという動作が繰返し行われる。
【０１０２】
上記のようにして、マガジン５８内に収容したテープカセット２、２、・・・を順次ドライブ５６に挿入することにより複数のテープカセット２、２、・・・に対する情報信号の連続的な記録又は再生を行うことが可能である。
【０１０３】
尚、マガジン５８は筐体５５に対して挿脱可能であるため、別のテープカセット２、２、・・・をマガジン５８に収容すればテープカセット２、２、・・・の交換を行うことができる。
【０１０４】
このように、オートローダー５４に読書機構２８を設ければ、メモリ２ｄ、２ｄ、・・・に対する情報の読書が複数のテープカセット２、２、・・・について順次連続的に行うことができ、動作時間の短縮化を図ることができる。
【０１０５】
尚、上記したオートローダー５４は、例えば、カセットライブラリシステム１のテープストリーマドライブ６に代えて設けることができる。
【０１０６】
また、図１２乃至図１６において説明したトランスフォーマ３０に関しては、何れもフレキシブルプリント基板のみによって形成され薄型化されているため、通信距離が２０ｍｍ以下とされている。
【０１０７】
尚、上記した実施の形態において示した各部の具体的な形状及び構造は、何れも本発明を実施するに際しての具体化のほんの一例を示したものにすぎず、これらによって本発明の技術的範囲が限定的に解釈されることがあってはならないものである。
【０１１２】
【発明の効果】
以上に記載したところから明らかなように、本発明カセットライブラリシステムは、記録媒体カセットを外部から受け入れるための受入部と記録媒体カセットを外部へ取り出すための取出部と複数の収納部を有し該収納部に記録媒体カセットを収納する収納ラックと記録媒体カセットを所望の位置に搬送する搬送機構と記録媒体カセットが装着されて該記録媒体カセットに対する記録再生動作が為されるドライブ装置とを備え、収納ラックに収納された所望の記録媒体カセットを必要に応じて取り出して使用するカセットライブラリシステムであって、所定の情報を記憶するメモリが搭載された記録媒体カセットの該メモリに対する情報の読み書きを非接触で行うと共に所定の回路パターンを有する複数のフレキシブルプリント基板が積層されて多層基板として形成されたトランスフォーマが設けられたことを特徴とする。
【０１１３】
従って、感度の低下を来たすことがなく厚みが非常に薄くされたトランスフォーマが用いられるため、カセットライブラリシステムにおけるトランスフォーマの配置スペースの狭小化を図ることができる。
【０１１４】
また、トランスフォーマがフレキシブルプリント基板のみによって形成されるため、部品点数の削減を図ることができ、延いては、カセットライブラリシステムの製造コストの削減に寄与する。
【０１１５】
さらに、非接触で通信可能なトランスフォーマを用いることにより、カセットライブラリシステムにおける使い勝手の向上を図ることができる。
【０１１６】
請求項２に記載した発明にあっては、収納ラックに各収納部に対応してトランスフォーマを設けたので、収納ラックに収納したままで各記録媒体カセットのメモリに対する情報の読書が可能となり、動作時間の効率化及び使い勝手の向上を図ることができる。
【０１１７】
請求項３に記載した発明にあっては、搬送機構にトランスフォーマを設けたので、トランスフォーマが一つのみでよく部品点数の削減が図られると共に搬送機構による記録媒体カセットの搬送中にメモリに対する情報の読書が可能となり、動作時間の効率化及び使い勝手の向上を図ることができる。
【０１１８】
請求項４に記載した発明にあっては、搬送機構に所定の各部との間で記録媒体カセットの受け渡しを行うためのカセット受渡機構を設け、該カセット受渡機構にトランスフォーマを設けたので、トランスフォーマが一つのみでよく部品点数の削減が図られると共に収納ラックから記録媒体カセットを取り出してドライブ装置に挿入しなくてもメモリに対する情報の読書が可能となり、動作時間の効率化及び使い勝手の向上を図ることができる。
【０１１９】
請求項５に記載した発明にあっては、搬送機構に収納ラックに対して離接する方向に移動可能なトランスフォーマ配置部材を設け、該トランスフォーマ配置部材に収納ラックに収納される記録媒体カセットの並設される方向に該記録媒体カセットに対応して位置する複数のトランスフォーマを設けたので、情報の読書が複数の記録媒体カセットについて同時に行うことができ、動作時間の短縮化を図ることができる。
【０１２０】
請求項６に記載した発明にあっては、受入部の入口に該入口を開閉するための扉体を設け、該扉体にトランスフォーマを設けたので、記録媒体カセットをカセットライブラリシステムに挿入しようとするときにメモリに対する情報の読書が可能となり、カセットライブラリシステムに挿入する前の段階で挿入する必要のある記録媒体カセットと必要のない記録媒体カセットとを選別することが可能であり、動作時間の効率化及び使い勝手の向上を図ることができる。
【０１２１】
請求項７に記載した発明にあっては、筐体と該筐体内に配置されたドライブ装置と筐体に対して挿脱可能とされ複数の記録媒体カセットを各別に収容する収容部を有すると共に記録媒体カセットが隣接する収容部に順次移動可能なマガジンと記録媒体カセットをドライブ装置と筐体内にセットされたマガジンとの間で移送する移送機構とを備えたオートローダーを設け、該オートローダーのドライブ装置の内部にトランスフォーマを設けたので、情報の読書が複数の記録媒体カセットについて順次連続的に行うことができ、動作時間の短縮化を図ることができる。
【０１２２】
請求項８乃至請求項１４に記載した発明にあっては、メモリに対する情報の読み書きの動作可能範囲を２０ｍｍ以下としたので、アンテナサイズの小さな記録媒体カセットのメモリに十分対応することが可能であり、メモリに対する情報の読み書きを適正に行うことが可能である。
【図面の簡単な説明】
【図１】カセットライブラリシステムの概略斜視図である。
【図２】テープカセットの拡大斜視図である。
【図３】搬送機構と収納ラックを示す斜視図である。
【図４】ドライブの内部を示す概略拡大平面図である。
【図５】テープカセットがドライブに挿入されていく状態を示す概略拡大側面図である。
【図６】テープカセットのドライブへの挿入が完了した状態を示す概略拡大側面図である。
【図７】読書機構の要部を示す拡大斜視図である。
【図８】第１の基板を示す拡大背面図である。
【図９】第２の基板を示す拡大背面図である。
【図１０】トランスフォーマの拡大分解斜視図である。
【図１１】結合させる基板の数を増加させて形成するトランスフォーマを示す概略斜視図である。
【図１２】読書機構が設けられた収納ラックを示す拡大斜視図である。
【図１３】読書機構が設けられた扉体を示す拡大斜視図である。
【図１４】読書機構がバーコードリーダーと共に設けられた搬送機構を示す概略拡大斜視図である。
【図１５】読書機構を有するスタンパが設けられた搬送機構を示す概略拡大斜視図である。
【図１６】読書機構が設けられたオートローダーを示す概略縦断面図である。
【図１７】図１８と共に従来のトランスフォーマを示すものであり、本図は拡大斜視図である。
【図１８】トランスフォーマが取り付けられたホルダが動作される様子を示す概略図である。
【符号の説明】
１…カセットライブラリシステム、２…テープカセット（記録媒体カセット）、２ｄ…メモリ、３…収納ラック、３ａ…収納部、４…搬送機構、６…テープストリーマードライブ（ドライブ装置）、７…インポート（受入部）、７ａ…入口、８…アウトポート（取出部）、９…カセット受渡機構、３０…トランスフォーマ、３２…第１の基板（フレキシブルプリント基板）、３３…第２の基板（フレキシブルプリント基板）、３６…回路パターン、３０Ａ…トランスフォーマ、４１…フレキシブルプリント基板、４２…フレキシブルプリント基板、４３…フレキシブルプリント基板、４４…フレキシブルプリント基板、３Ａ…収納ラック、４５…扉体、２Ａ…テープカセット（記録媒体カセット）、３Ｂ…収納ラック、４Ａ…搬送機構、４Ｂ…搬送機構、５１…スタンパ（トランスフォーマ配置部材）、５４…オートローダー、５５…筐体、５６…ドライブ（ドライブ装置）、５７…移送機構、５８…マガジン、５８ａ…収容部
【図１】
0004061733.tif 000002
【図２】
0004061733.tif 000003
【図３】
0004061733.tif 000004
【図４】
0004061733.tif 000005
【図５】
0004061733.tif 000006
【図６】
0004061733.tif 000007
【図７】
0004061733.tif 000008
【図８】
0004061733.tif 000009
【図９】
0004061733.tif 000010
【図１０】
0004061733.tif 000011
【図１１】
0004061733.tif 000012
【図１２】
0004061733.tif 000013
【図１３】
0004061733.tif 000014
【図１４】
0004061733.tif 000015
【図１５】
0004061733.tif 000016
【図１６】
0004061733.tif 000017
【図１７】
0004061733.tif 000018
【図１８】
0004061733.tif 000019